(57)【要約】      （修正有）【課題】結露抑制性を保持しつつ印刷適性の良い保冷和紙シートを得ること、及び和紙の風合いを保ちつつ保冷和紙シートを安価に提供する。【解決手段】和紙１の片面に断熱材２を積層してなる保冷和紙シートであって、和紙１は親水性繊維、疎水性繊維及びバインダーを配合してなり、親水性繊維の配合量をｘ質量％、疎水性繊維の配合量をｙ質量％、バインダーの配合量をｚ質量％としたとき、次の（式１）〜（式４）の関係を有している保冷和紙シート。ｘ＋ｙ＋ｚ＝１００・・・・（式１）５０≦ｘ≦８０・・・・・・（式２）１０≦ｙ≦４０・・・・・・（式３）１≦ｚ≦１０・・・・・・（式４）好ましくは、ｘ≦７０、２０≦ｙ及び３≦ｚである、保冷和紙シート。【選択図】図１
2018149743.tif 000002
【特許請求の範囲】
【請求項１】
親水性繊維、疎水性繊維及びバインダーを配合してなる和紙と、該和紙の片面に断熱材を積層してなる保冷和紙シートであって、
前記親水性繊維の配合量をｘ質量％、前記疎水性繊維の配合量をｙ質量％、前記バインダーの配合量をｚ質量％としたとき、次の（式１）〜（式４）の関係を有している
ことを特徴とする保冷和紙シート。
ｘ＋ｙ＋ｚ＝１００・・・・（式１）
５０≦ｘ≦８０・・・・・・（式２）
１０≦ｙ≦４０・・・・・・（式３）
１≦ｚ≦１０・・・・・・（式４）
【請求項２】
前記（式２）におけるｘの上限値が７０、前記（式３）におけるｙの下限値が２０及び前記（式４）におけるｚの下限値が３である
ことを特徴とする請求項１記載の保冷和紙シート。
【発明の詳細な説明】
【技術分野】
【０００１】
本発明は、冷凍食品や保冷食材の保管や搬送に用いられ、和紙の片面に断熱材を積層した保冷和紙シートであって、保冷包装シートあるいは製袋した保冷袋等として好適に使用できる保冷和紙シートに関する。
【背景技術】
【０００２】
保冷シートや保冷袋は、冷凍食品や保冷宅配便の普及に伴い、保冷食材の保管や搬送に利用するため、近年一般的に用いられる包装材料となっている。
例えば、特許文献１（実公昭５９−３１５４８号公報）には、紙製の内袋１ａと外袋１ｂとの間に断熱層（熱発泡性合成樹脂２）を形成した袋が記載されており（特に、第１頁左欄第２６〜３３行及び第１図を参照）、特許文献２（特開２０００−２４７３７８号公報）には、断熱材を積層した蒸着フィルムの表面側に吸水層を設けた吸水保冷シート及びその吸水保冷シートを用いた保冷袋が記載されている（特に、請求項１及び図１を参照）。
【０００３】
また、特許文献２には、吸水層として和紙などの紙類を用いることも記載されているが（請求項２及び段落０００６を参照）、和紙の場合は、結露を吸収し易くする（結露抑制性を上げる）と、表面に印刷を施した時に印刷面がダメージを受け易くなる（印刷適性が悪くなる）という問題があり、印刷適性を良くするために表面にコーティングを施すと、和紙の風合いが損なわれるとともに、製造コストが上がってしまうという問題があった。
【先行技術文献】
【特許文献】
【０００４】
【特許文献１】実公昭５９−３１５４８号公報
【特許文献２】特開２０００−２４７３７８号公報
【発明の概要】
【発明が解決しようとする課題】
【０００５】
本発明は、上記の問題を解決し、結露抑制性を保持しつつ印刷適性の良い保冷和紙シートを得ることを第１の課題としている。
また、和紙の風合いを保ちつつ保冷和紙シートを安価に提供することが、本発明の第２の課題である。
【課題を解決するための手段】
【０００６】
請求項１に係る発明は、親水性繊維、疎水性繊維及びバインダーを配合してなる和紙と、該和紙の片面に断熱材を積層してなる保冷和紙シートであって、前記親水性繊維の配合量をｘ質量％、前記疎水性繊維の配合量をｙ質量％、前記バインダーの配合量をｚ質量％としたとき、次の（式１）〜（式４）の関係を有していることを特徴とする。
ｘ＋ｙ＋ｚ＝１００・・・・（式１）
５０≦ｘ≦８０・・・・・・（式２）
１０≦ｙ≦４０・・・・・・（式３）
１≦ｚ≦１０・・・・・・（式４）
【０００７】
請求項２に係る発明は、請求項１記載の保冷和紙シートにおいて、前記（式２）におけるｘの上限値が７０、前記（式３）におけるｙの下限値が２０及び前記（式４）におけるｚの下限値が３であることを特徴とする。
【発明の効果】
【０００８】
請求項１に係る発明の保冷和紙シートは、和紙における親水性繊維の配合量をｘ質量％、疎水性繊維の配合量をｙ質量％、バインダーの配合量をｚ質量％としたとき、（式１）〜（式４）の関係を有しているので、製造工程に特別な処理工程を加えることなく、結露抑制性を保持しつつ印刷適性の良い保冷和紙シートを得ることができる。
また、和紙の表面に印刷用のコーティングを施す必要がないので、安価に和紙の風合いを有する保冷和紙シートを提供することができる。
【０００９】
請求項２に係る発明によれば、（式２）におけるｘの上限値を７０、（式３）におけるｙの下限値を２０及び（式４）におけるｚの下限値を３としたので、請求項１に係る発明の保冷和紙シートよりも優れた結露抑制性及び印刷適性を有する保冷和紙シートを得ることができる。
【図面の簡単な説明】
【００１０】
【図１】実施例に係る保冷和紙シートを示す図。
【図２】実施例に係る保冷和紙シートを用いた保冷袋を示す図。
【図３】変形例（２）に係る保冷和紙シートを示す図。
【発明を実施するための形態】
【００１１】
以下、実施例によって本発明の実施形態を説明する。
【実施例】
【００１２】
図１は実施例に係る保冷和紙シートを示す図である。
図１に示すとおり、実施例に係る保冷和紙シートは、和紙１と断熱材２を積層させたものであり、断熱材２としては、発泡プラスチックシートや不織布など断熱性に優れた素材が用いられる。
また、発泡プラスチックシートや不織布に、厚さ１０〜２０μｍのアルミ蒸着フィルム層を設けたものを利用して、より断熱性を高めることもある。
なお、積層の方法としては、和紙１と断熱材２を接着剤で貼り合わせる方法、和紙１と断熱材２を重ね合わせて固定具で止着する方法及び和紙１の片面に発泡樹脂材料を塗布し加熱して発泡させる方法等を採用できる。
【００１３】
保冷和紙シートの和紙１は、低温物を包んだり断熱材２の内側に低温物を収容したりした場合に、断熱材２の外側に発生する結露水を吸収する機能だけでなく、手触りや見栄えを良くする機能も有している。
そして、必要に応じて和紙１の表面に印刷を施す場合もあるが、結露抑制性と印刷適性は、結露抑制性を上げると印刷適性が悪くなり、逆に印刷適性を良くすると結露抑制性が下がるという相反関係（トレードオフの関係）にある。
そこで、結露抑制性（吸水性）と印刷適性（紙表面の強度）を左右する要素の一つである親水性繊維、疎水性繊維及びバインダーの割合を調整しながら、結露抑制性（吸水量）と印刷適性（「ＴＡＰＰＩ  Ｎｏ．１：紙等の表面強さ試験法」）に関する実験を繰り返すことによって、両方の特性を満足できる和紙が得られる親水性繊維、疎水性繊維及びバインダーの配合割合の範囲を見出した。
【００１４】
具体的には、和紙の原料に含まれる親水性繊維の配合量をｘ質量％、疎水性繊維の配合量をｙ質量％、バインダーの配合量をｚ質量％としたとき、次の（式１）〜（式４）の関係を有していれば、結露抑制性及び印刷適性を満足できることが分かった。
ｘ＋ｙ＋ｚ＝１００・・・・（式１）
５０≦ｘ≦８０・・・・・・（式２）
１０≦ｙ≦４０・・・・・・（式３）
１≦ｚ≦１０・・・・・・（式４）
ここで、親水性繊維には、植物繊維、動物繊維、再生繊維及び半合成繊維などがあり、植物繊維としては木材パルプ、古紙パルプ、楮や麻などの靭皮繊維、藁、バガス及びケナフなどの非木材繊維が挙げられ、動物繊維としては絹繊維、羊毛等の獣毛繊維が挙げられ、再生繊維としてはレーヨンやキュプラが挙げられ、半合成繊維としてはアセテート、セルロース、再生タンパク等が挙げられる。
また、疎水性繊維としては、アクリル系繊維、ポリアミド系繊維、ビニロン繊維、ポリエステル繊維、ポリオレフィン繊維、ポリビニルアルコール繊維、ポリ塩化ビニリデン繊維、ポリ塩化ビニル繊維、ウレタン繊維等が挙げられ、バインダーとしては、繊維状又は粉末状のポリビニルアルコール（ＰＶＡ）等が挙げられる。
【００１５】
図２は実施例に係る保冷和紙シートを用いた保冷袋３を示す図である。
なお、説明し易くするために、保冷袋３の手前側にある保冷和紙シートについては、和紙１の一部を除いて描いてある。
図２の保冷袋３は、実施例に係る保冷和紙シートを通常の紙袋を作成する時と同じように裁断し、和紙１が袋の外側、断熱材２が袋の内側となるように折り、のりしろ部分を接着することにより作成される。
そして、和紙１の表面には、必要に応じて、袋の中に収容する物品の名前や写真、袋や物品を提供する業者の名前やマーク、適宜のキャラクター等が印刷される。
【００１６】
実施例に係る保冷和紙シートの変形例を説明する。
（１）実施例に係る保冷和紙シートの和紙１は（式１）〜（式４）の関係を有するものとしていたが、（式２）〜（式４）については、それぞれｘの上限値を７０、ｙの下限値を２０及びｚの下限値を３とすることで、より良い特性の保冷和紙シートを得ることができる。
さらに、（式１）及び次の（式５）〜（式７）を満たせば、非常に良い特性の保冷和紙シートを得ることができる。
ｘ＋ｙ＋ｚ＝１００・・・・（式１）
６０≦ｘ≦７０・・・・・・（式５）
２０≦ｙ≦３５・・・・・・（式６）
３≦ｚ≦１０・・・・・・（式７）
【００１７】
（２）実施例に係る保冷和紙シートは、一層の和紙１の片面に断熱材２を積層したものであったが、一層の和紙１に代えて和紙を二層以上積層したものとしても良い。
図３は、その一例を示す図であり、断熱材２と接する側には親水性繊維を多く含み結露抑制性の高い和紙１ｂ（７０≦ｘ≦９０、０≦ｙ≦２５、１≦ｚ≦１０）を用い、断熱材２から離れている側には親水性繊維が少なく印刷適性の良い和紙（４０≦ｘ≦６０、３０≦ｙ≦５５、１≦ｚ≦１０）を用いている。
（３）実施例に係る保冷和紙シートを用いた用具として保冷袋３（図２）を例示したが、保冷和紙シートは、保冷袋３への適用だけでなく、低温物を包むための保冷包装シートや各種物品の表面を覆って結露を防止するための結露防止シートへの適用も可能である。
【符号の説明】
【００１８】
１  和紙      ２  断熱材      ３  保冷袋
１ａ  印刷適性の良い和紙      １ｂ  結露抑制性の高い和紙
【図１】
2018149743.tif 000003
【図２】
2018149743.tif 000004
【図３】
2018149743.tif 000005